(57)【要約】【課題】  携帯用アンテナに接続された電子機器から発生するノイズや携帯用アンテナの使用状況の変化によっても受信感度は悪化しない携帯用アンテナを提供すること【解決手段】  携帯用アンテナ１は、電波を送受信する電子機器を懸架するアンテナ被覆部材（ストラップ）２に、導体を用いて形成されている導線４が配設され、その導線４の一部分に、ある特定の電波を受信するアンテナ本体３が形成されていること。【選択図】      図１
2006173732.tif 000002
【特許請求の範囲】
【請求項１】
電波を送受信する電子機器を懸架するアンテナ被覆部材に、導体を用いて形成されている導線が配設され、その導線の一部分に、ある特定の電波を受信するアンテナ本体が形成されている携帯用アンテナ。
【請求項２】
前記アンテナ被覆部材が、人体の頭部を挿通可能とする大きさを有するループ状に形成されていることを特徴とする請求項1に記載の携帯用アンテナ。
【請求項３】
前記導線は、平編線、ツイストぺアまたは同軸状の可撓性導体によって形成されていることを特徴とする請求項1または請求項2に記載の携帯用アンテナ。
【請求項４】
アンテナ本体が、アンテナ被覆部材に沿って前記アンテナ被覆部材の中央付近に配設されていることを特徴とする請求項1から請求項３のいずれか1項に記載の携帯用アンテナ。
【請求項５】
前記アンテナ被覆部材が、伸縮自在となるらせん状に形成されていることを特徴とする請求項1に記載の携帯用アンテナ。
【請求項６】
前記導線は、平編線、ツイストぺアまたは同軸状の可撓性導体によって形成されていることを特徴とする請求項５に記載の携帯用アンテナ。
【請求項７】
アンテナ本体の長手方向の中央付近にアンテナ被覆部材の一端が配設されていることを特徴とする請求項５または請求項６に記載の携帯用アンテナ。
【請求項８】
アンテナ本体に挟着自在のクリップ部が配設されていることを特徴とする請求項５から請求項７のいずれか1項に記載の携帯用アンテナ。
【発明の詳細な説明】
【技術分野】
【０００１】
本発明は、携帯電話やラジオ放送などに用いられる電波を受信するための携帯用アンテナに係り、特に、携帯電話機などを吊り下げるストラップに受信用アンテナが内蔵されてなる携帯用アンテナに関する。
【背景技術】
【０００２】
電話機、ラジオ受信機などの電波を利用する電子機器（以下、単に「電子機器」という。）は屋内での使用だけでなく屋外でも使用される。これら屋外で用いられる当該電子機器は、携帯電話、携帯ラジオ受信機などとして携帯されている。そのなかでも、携帯電話は、その普及率が高く、ほとんどの人が屋外にいる時に携帯電話を携帯していることから、ラジオなどの機能を携帯電話に付加して用いられることがある。
【０００３】
携帯電話にラジオ受信機などの機能を付加する場合、使用する電波が異なることから、当該携帯電話に携帯電話用アンテナとラジオ受信機などに用いるアンテナとをともに備える必要がある。一般的にそれらのアンテナは配設する携帯電話の筐体に内蔵されていることが多いが、それらのアンテナが隣位して設置されるとその受信感度に影響を及ぼすことから、ラジオ受信機などに用いるアンテナを携帯電話の外部に分離する場合がある。その一つの実施態様としては、外部アンテナをループ状のストラップ内に組み込み、携帯電話などに接続して使用するストラップ型の携帯用アンテナがある（特許文献１および２を参照）。
【０００４】
ラジオ受信機などの機能を付加した携帯電話などに前記した携帯用アンテナを接続すると、携帯用アンテナに配設されたアンテナ本体は、電子機器に用いられる電波を受信し、当該電子機器に受信した電波を提供する。携帯用アンテナに配設されているアンテナは、携帯電話などの電子機器に配設されているアンテナから離れていることから、ノイズの影響が少なくなり、電波の受信状態が携帯電話に内蔵されている場合よりも良好になる。
【０００５】
このような特性を持つ携帯用アンテナは、通常、絶縁性物質によって形成されたストラップと、導電性物質によって形成されたアンテナと、前記アンテナと前記電子機器とを電気的に接続するためにアンテナの一部分に接続されている接続端子とを有している。携帯用アンテナが有するストラップは、一般的に、繊維樹脂を筒状に編み込んで形成され、手で引っ張ったり、ズボンのベルトなどに引っ掛けたり、首に吊り下げたりしやすいようにそのストラップがループ状を成している。
【０００６】
そして、従来の携帯用アンテナは、受信感度を良好にするため、ストラップの筒内全体に、電波を受信するためのアンテナが配設されていた（特許文献３を参照）。
【０００７】
【特許文献１】特開２００１−２５１４０７号公報
【特許文献２】特開２００１−３５２２０７号公報
【特許文献３】特開２００１−２５７５２０号公報
【発明の開示】
【発明が解決しようとする課題】
【０００８】
しかしながら、携帯電話の液晶表示装置に使用されているバックライトや携帯電話の送信用アンテナなどはノイズの発生源となりやすいため、携帯用アンテナが所望の電波を不要な電波と併せて受信し、ラジオ受信機等の受信感度を悪化させてしまうという問題が生じた。
【０００９】
また、従来のストラップ型携帯用アンテナにはイヤホーンが内蔵されていることがほとんどであり、受信感度が向上するストラップ型携帯用アンテナを接続したままで、当該電子機器に備えられている内蔵スピーカから音を出すことが事実上不可能であった。
【００１０】
そこで、本発明はこれらの点に鑑みてなされたものであり、携帯用アンテナに接続された電子機器から発生するノイズや携帯用アンテナの使用状況の変化によっても受信感度が悪化しない携帯用アンテナを提供することを本発明の目的としている。
【課題を解決するための手段】
【００１１】
前述した目的を達成するため、本発明である携帯用アンテナは、その第１の特徴として、電波を送受信する電子機器を懸架するアンテナ被覆部材に、導体を用いて形成されている導線が配設され、その導線の一部分に特定の電波を受信するアンテナ本体によって形成されている。
【００１２】
また、第２の特徴としては、第１の特徴を有する携帯用アンテナにおいて、前記アンテナ被覆部材が、人体の頭部を挿通可能とする大きさを有するループ状に形成されている。
【００１３】
また、第３の特徴としては、第１および第２の特徴を有する携帯用アンテナにおいて、前記導線は、平編線、ツイストぺアまたは同軸状の可撓性導体によって形成されている。
【００１４】
また、第４の特徴としては、第１から第３のいずれか１つの特徴を有する携帯用アンテナにおいて、アンテナ本体が、アンテナ被覆部材に沿って前記アンテナ被覆部材の中央付近に配設されている。
【００１５】
また、第５の特徴としては、第１の特徴を有する携帯用アンテナにおいて、前記アンテナ被覆部材が、伸縮自在となるらせん状に形成されている。
【００１６】
また、第６の特徴としては、第５の特徴を有する携帯用アンテナにおいて、前記導線は、平編線、ツイストぺアまたは同軸状の可撓性導体によって形成されている。
【００１７】
また、第７の特徴としては、第５または第６の特徴を有する携帯用アンテナにおいて、アンテナ本体の長手方向の中央付近にアンテナ被覆部材の一端が配設されている。
【００１８】
そして、第８の特徴としては、第５から第７のいずれか１つの特徴を有する携帯用アンテナにおいて、アンテナ本体に挟着自在のクリップ部が配設されている。
【発明の効果】
【００１９】
本発明を実施することによって、本発明の携帯用アンテナの取付位置を特に意識することなく、電波を受信する電子機器の受信感度が最良となる状態を確保するという効果を奏する。
【発明を実施するための最良の形態】
【００２０】
以下、図１および図２を用いて、本発明の実施形態を説明する。ここで、図１は本発明の携帯用アンテナをネックストラップ状に形成して使用する第１の実施形態を示し、図２は、本発明の携帯用アンテナをらせん状ストラップとクリップ部材とを有して形成して使用する第２の実施形態を示している。
【００２１】
本実施形態（第１および第２の実施形態）の携帯用アンテナ１は、図１および図２に示すように、外部への懸架等が可能となるストラップ状のアンテナ被覆部材（以下、単に「ストラップ」という。）２と、電波を受信するアンテナ本体３と、携帯用アンテナ１と電子機器とを電気的に接続するための接続端子７とを有している。以下に述べる第１および第２の実施形態の携帯用アンテナ１は、ストラップ２やアンテナ本体３の形状が異なっている。まずはじめに、第１の実施形態の携帯用アンテナ１について説明する。
【００２２】
第１の実施形態における携帯用アンテナ１は、図１に示すように、使用者の首から吊り下げることが可能となる大きさを有して形成されているループ形状のストラップ２となっている。このストラップ２は、例えば繊維状のポリアミド樹脂を編み込んで筒状に形成した携帯電話用ストラップ２のように、耐荷重性と電気絶縁性を有する樹脂などを筒状にして形成されている。また、このストラップ２の各端部は、樹脂で作られた角形状の結合部材５によって共に結合されている。この結合部材５の一端には、携帯用アンテナ１と接続する電子機器等を吊り下げて使用することが可能となる程度の耐荷重性を有して形成されているループ形状の取付部材６が配設されている。
【００２３】
前述したループ状のストラップ２の長手方向における中央付近には棒状に形成されたアンテナ本体３が配設されている。このアンテナ本体３が配設される長手方向における中央付近とは、携帯用アンテナ１を首に吊り下げて使用した際に使用者の首の後側となる位置に対応している。そして、アンテナ本体３は、アンテナ本体３の長手方向がストラップ２の長手方向に沿うようにして配置している。アンテナ本体３としては、ＡＭ放送用電波を受信する場合、フェライト等の磁性体に所定のインダクタンスを有する導線４を巻回し、筒状もしくは角状の樹脂ケースによって被覆したものを用いることが好ましい。
【００２４】
アンテナ本体３の両端には接続端子７に接合するための導線４が形成され、この導線４はストラップ２の筒内に配設されている。この導線４としては、平編線（２本以上で形成されている平行線）、ツイストぺア（撚線）または同軸状に形成されている可撓性導体を用いることが好ましい。特に、その導線４は、アンテナ本体３が受信した電波を接続端子７に伝播するだけでなくＦＭ放送用電波などの受信をも可能とするために、平編線やツイストぺアによって形成されていることがより好ましい。
【００２５】
アンテナ本体３が取り付けられていない導線４の端部には、接続端子７が取り付けられている。この接続端子７は、電波を受信する個々の電子機器と接続することが可能となるため、その電子機器の接続に適した形状に形成されている。例えば、ラジオ受信機などに接続して使用する場合、イヤホーンプラグなどに使用されている直径２〜３ｍｍ程度の円柱状接続端子７となるように形成されている。また、携帯電話に接続して使用する場合は、携帯電話の下部付近または側面部などに形成されている外部機器接続端子７や、携帯電話の送信アンテナが取り付けられている送信用アンテナ接続端子が形成されている。
【００２６】
前述したように形成された第１の実施形態の携帯用アンテナ１は、携帯用アンテナ１に接続された電子機器から発生するノイズや携帯用アンテナ１の使用状況の変化によっても受信感度が悪化しないという特徴を有している。その特徴を以下に述べる。
【００２７】
携帯用アンテナ１の取付部材６に電子機器を取り付けて使用する場合、携帯用アンテナ１を使用する使用者（以下、「使用者」という。）の首から吊り下げた当該携帯用アンテナ１は、その取付部材６に取り付けた電子機器の重量によって、使用者の胸部もしくは腹部付近に電子機器を配置し、ストラップ２の中央付近に配設されているアンテナ本体３を使用者の首の後側に配置する。
【００２８】
アンテナ本体３と電子機器との間に使用者が介在すると、当該電子機器から発生するノイズは使用者（人体）によって遮断されることから、使用者の首の後側にあるアンテナ本体３は影響を受けず、携帯用アンテナ１の受信感度は悪化しないこととなる。すなわち、アンテナ本体３は電子機器などの隣位しているノイズ源の影響を受けることがないため、受信状態を良好に保つことが可能となる。
【００２９】
また、アンテナ本体３の長手方向がストラップ２の長手方向に沿って配設されているため、使用状況の変化に係わらず、そのアンテナ本体３は地面に対してほぼ水平に保つことが可能となる。アンテナ本体３が水平方向に配設されると、携帯用アンテナ１はＡＭ放送用電波などの垂直偏波を効率よく受信することが可能となるため、携帯用アンテナ１を接続した電子機器の受信感度を向上させることになる。
【００３０】
さらに、アンテナ本体３の端部に接続された導線４は、平編線、ツイストぺアまたは同軸状に形成された可撓性の導線４であるため、携帯用アンテナ１の使用状況の変化に係わらずアンテナ本体３のインダクタンスの変化が起こらないようになっている。さらに、この導線４が平編線やツイストぺアである場合には、アンテナ本体３が受信しない電波をこの導線４が受信可能となるため、１つの携帯用アンテナ１によって、２種類の電波を受信することが可能となっている。例えば、アンテナ本体３がＡＭ放送用電波を受信し、アンテナ本体３に接続されている一端の導線４がＦＭ放送用電波を受信することによって、本実施形態の携帯用アンテナ１はＡＭ／ＦＭ両用アンテナとして機能することが可能となっている。
【００３１】
次に、第２の実施形態の携帯用アンテナ１について説明する。
【００３２】
第２の実施形態における携帯用アンテナ１は、図２に示すように、使用者のベルトループなどに挟んで吊り下げることが可能となる程度の長さを有して形成されているらせん状のストラップ２となっている。このストラップ２は、例えば繊維状のポリアミド樹脂を編み込んで筒状に形成した携帯電話用ストラップ２のように、耐荷重性と電気絶縁性を有する樹脂などを筒状にして形成されている。また、このストラップ２の一端は、樹脂により形成された角形状の結合部材５が結合している。結合部材５において、ストラップ２が結合している面に対する裏面側には、携帯用アンテナ１と接続する電子機器等を吊り下げて使用することが可能となる程度の耐荷重性を有して形成されているループ形状の取付部材６が配設されている。
【００３３】
前述したらせん状のストラップ２において、結合部材５が配設されていない他端には、棒状に形成されたアンテナ本体３が配設されており、そのアンテナ本体３の長手方向に対して中央付近にそのストラップ２が固着されている。そして、このアンテナ本体３には、アンテナ本体３の外壁を利用して挟むことが可能なクリップ部３ａがアンテナ本体３の長手方向に形成されている。このアンテナ本体３としては、ＡＭ放送用電波を受信する場合、フェライト等の磁性体に所定のインダクタンスを有する導線４を巻回し、筒状もしくは角状の樹脂ケースによって被覆したものを用いることが好ましい。
【００３４】
アンテナ本体３の長手方向の中央付近にはストラップ２の一端が配設されており、配設されたストラップ２の筒内には導線４が形成されている。この導線４としては、平編線（２本以上で形成されている平行線）、ツイストぺア（撚線）または同軸状に形成されている可撓性導体を用いることが好ましい。特に、その導線４は、アンテナ本体３が受信した電波を接続端子７に伝播するだけでなくＦＭ放送用電波などの受信をも可能とするために、平編線やツイストぺアによって形成されていることがより好ましい。
【００３５】
アンテナ本体３が取り付けられていない導線４の端部には、接続端子７が取り付けられている。この接続端子７は、電波を受信する個々の電子機器と接続することが可能となるため、その電子機器の接続に適した形状に形成されている。例えば、ラジオ受信機などに接続して使用する場合、イヤホーンプラグなどに使用されている直径２〜３ｍｍ程度の円柱状接続端子７となるように形成されている。また、携帯電話に接続して使用する場合には、携帯電話の下部付近または側面部などに形成されている外部機器接続端子７や、携帯電話の送信アンテナが取り付けられている送信用アンテナ接続端子が形成されている。
【００３６】
前述したように形成された第２の実施形態の携帯用アンテナ１は、携帯用アンテナ１に接続された電子機器から発生するノイズや携帯用アンテナ１の使用状況の変化によっても受信感度が悪化しないという特徴を有している。その特徴を以下に述べる。
【００３７】
携帯用アンテナ１の取付部材６に電子機器を取り付けて使用する場合、使用者のベルトループなどに挟んで吊り下げた当該携帯用アンテナ１は、その取付部材６に取り付けた電子機器の重量によって、アンテナ本体３が挟着している部位よりも下方へ伸びることになり、携帯用アンテナ１の使用状況に応じてその形状が変化することになる。しかし、携帯用アンテナ１が主として電波を受信する部分はアンテナ本体３であり、そのアンテナ本体３は接続された電気機器から最も遠い位置にあるので、携帯用アンテナ１の受信感度はほとんど悪化しないことになる。すなわち、アンテナ本体３は電子機器などの隣位しているノイズ源の影響を受けることがないため、受信状態を良好に保つことが可能となる。
【００３８】
また、アンテナ本体３の長手方向にクリップ部３ａが形成されているため、使用状況の変化に係わらず、そのアンテナ本体３は地面に対してほぼ水平に保つことが可能となる。アンテナ本体３が水平方向に配設されると、携帯用アンテナ１はＡＭ放送用電波などの垂直偏波を効率よく受信することが可能となるため、携帯用アンテナ１を接続した電子機器の受信感度を向上させることになる。
【００３９】
さらに、アンテナ本体３の端部に接続された導線４は、平編線、ツイストぺアまたは同軸状に形成された可撓性の導線４であるため、携帯用アンテナ１の使用状況の変化に係わらずアンテナ本体３のインダクタンスの変化が起こらないようになっている。さらに、この導線４が平編線やツイストぺアである場合には、アンテナ本体３が受信しない電波をこの導線４が受信可能となるため、１つの携帯用アンテナ１によって、２種類の電波を受信することが可能となっている。例えば、アンテナ本体３がＡＭ放送用電波を受信し、アンテナ本体３に接続されている導線４がＦＭ放送用電波を受信することによって、本実施形態の携帯用アンテナ１はＡＭ／ＦＭ両用アンテナとして機能することが可能となっている。
【００４０】
すなわち、本発明の携帯用アンテナ１は、携帯用アンテナ１に接続された電子機器から発生するノイズや携帯用アンテナ１の使用状況の変化によっても携帯用アンテナ１の受信感度が悪化しないため、極めて良好な受信感度を確保することが可能となる。
【００４１】
なお、本発明は、前述した実施の形態に限定されるものではなく、必要に応じて種々の変更が可能である。
【図面の簡単な説明】
【００４２】
【図１】本発明の携帯用アンテナをネックストラップ状に形成して使用する第１の実施形態を示す正面図
【図２】本発明の携帯用をらせん状ストラップとクリップ部材とを有して形成して使用する第１の実施形態を示す正面図
【符号の説明】
【００４３】
１    携帯用アンテナ
２    アンテナ被覆部材（ストラップ）
３    アンテナ本体
３ａ  クリップ部
４    導線
５    結合部材
６    取付部材
７    接続端子
【図１】
2006173732.tif 000003
【図２】
2006173732.tif 000004